(57)【要約】【課題】電子機器に着脱可能な可搬型の記録媒体において、複数のデータの伝送を同時に行った場合にも、データ伝送速度の低下を防止できる。【解決手段】記録媒体１は、電子機器２に着脱可能であって可搬型であるとともに、第１の記憶部１１および第２の記憶部１２を備えている。第１の記憶部１１は、情報記憶領域を有するとともに、電子機器２と電気的に接続されて通信可能である。また、第２の記憶部１２は、情報記憶領域を有するとともに、電子機器２と電気的に接続されて通信可能であり、さらに加えて、電子機器２と非接触で接続されて通信可能である。【選択図】図１
2009086844.tif 000002
【特許請求の範囲】
【請求項１】
電子機器に着脱可能な可搬型の記録媒体において、
前記電子機器と電気的に接続して通信可能な情報記憶領域を有する第１の記憶部と、
前記電子機器と電気的に接続して通信可能であるとともに、前記電子機器と非接触で接続して通信可能な情報記憶領域を有する第２の記憶部と、
を有することを特徴とする記録媒体。
【請求項２】
前記電子機器と電気的に接続して信号を送受信する接続部と、
前記電子機器と非接触で信号を送受信する非接触通信部と、
を有し、
前記第１の記憶部は、前記接続部によって前記電子機器と接続して通信可能であり、
前記第２の記憶部は、前記接続部によって前記電子機器と接続して通信可能であるとともに、前記非接触通信部によって前記電子機器と非接触で通信可能である、
ことを特徴とする請求項１記載の記録媒体。
【請求項３】
前記接続部は、単一のコネクタによって構成されるとともに、前記電子機器と前記第１の記憶部、および前記電子機器と前記第２の記憶部が、前記コネクタの内部でそれぞれ個別の端子を通じて接続されることを特徴とする請求項２記載の記録媒体。
【請求項４】
前記第２の記憶部は、前記接続部を通じて前記電子機器と前記第１の記憶部とが接続されていない場合にも、前記電子機器と前記非接触通信部を通じて非接触で通信可能であることを特徴とする請求項２記載の記録媒体。
【請求項５】
前記第２の記憶部は、前記接続部を通じて前記電子機器と前記第１の記憶部とが通信している場合にも、前記電子機器と前記非接触通信部を通じて非接触で通信可能であることを特徴とする請求項２記載の記録媒体。
【請求項６】
前記第２の記憶部は、前記接続部を通じて前記電子機器と前記第２の記憶部とが通信可能な状態でも、前記電子機器と前記非接触通信部を通じて非接触で通信可能であることを特徴とする請求項２記載の記録媒体。
【請求項７】
前記第２の記憶部は、前記接続部によって前記電子機器と前記第１の記憶部とが接続されていない場合、前記電子機器の外部の予め定められた位置に接近させることにより前記非接触通信部を通じて非接触で通信可能であることを特徴とする請求項４記載の記録媒体。
【請求項８】
前記第１の記憶部および前記第２の記憶部のうち少なくともいずれか１つは、不揮発性の半導体メモリによって構成されていることを特徴とする請求項１記載の記録媒体。
【請求項９】
前記電子機器と前記第１の記憶部との間のデータ伝送速度が、前記電子機器と前記第２の記憶部との間のデータ転送速度より高速であることを特徴とする請求項１記載の記録媒体。
【請求項１０】
前記第１の記憶部の記憶容量が、前記第２の記憶部の記憶容量よりも大きいことを特徴とする請求項１記載の記録媒体。
【請求項１１】
前記非接触通信部は、電磁波によって前記電子機器と接続されることを特徴とする請求項１記載の記録媒体。
【請求項１２】
前記第２の記憶部は、前記第１の記憶部の残容量に関する情報を記憶することを特徴とする請求項１記載の記録媒体。
【請求項１３】
前記電子機器は、撮像装置であることを特徴とする請求項１記載の記録媒体。
【請求項１４】
前記撮像装置は、前記第１の記憶部に画像データを記録し、前記第２の記憶部に、前記画像データに関する補助データを記録することを特徴とする請求項１３記載の記録媒体。
【請求項１５】
前記画像データは、前記撮像装置によって撮像された画像情報に基づいて生成された動画データを含み、
前記補助データは、前記画像情報に基づいて生成された静止画データを含む、
ことを特徴とする請求項１４記載の記録媒体。
【発明の詳細な説明】
【技術分野】
【０００１】
本発明は、電子機器に着脱可能な可搬型の記録媒体に関し、特に、複数の接続方法を備えた記録媒体に関する。
【背景技術】
【０００２】
近年、外部のリーダ／ライタとの間で非接触による情報の受け渡しが可能な非接触型ＩＣ（Integrated Circuit）チップが、広く普及している。非接触型ＩＣチップは、リーダ／ライタとの通信時に物理的接触が不要という要因などによって接続開始から接続終了までの処理時間を短くでき、また、高度な相互認証および暗号処理による高いセキュリティ機能を容易に実装可能であるといった特徴を有している。このため、電子マネーや交通乗車券、入館証などの用途で普及が進んでいる。
【０００３】
また、近年、広い分野で記録媒体との間の高速なデータ伝送の要求がある。特に、映像データ伝送の分野において、記録媒体から撮影時間（記録時間）よりも短い時間でデータを読み出すことに対する要求が高まっている。例えば、ＳｘＳ（登録商標）カードなどのように、ＥｘｐｒｅｓｓＣａｒｄ（商標）規格に準拠し、データ伝送速度の理論値が２．５Ｇｂｐｓであって、メモリ伝送速度も２００Ｍｂｐｓを超えるようなデータの高速デジタル伝送、すなわち、通信クロックが数百ＭＨｚ〜１ＧＨｚ以上のようなデジタル伝送が可能なメモリカードが開発されており、映像データ用記録媒体として期待されている。
【０００４】
また、上記のような非接触型ＩＣチップをメモリカードなどの記録媒体に搭載し、非接触型ＩＣチップ内の記憶情報を、記録機器側が非接触で読み取ることができるようにすることも考えられている。例えば、スロットに挿入するメモリカードに非接触型ＩＣチップを搭載し、メモリカードをカードスロットに挿入することなく、データを読み取ることも考えられている（例えば、特許文献１参照）。
【特許文献１】特開２００６−２４６０２４号公報
【発明の開示】
【発明が解決しようとする課題】
【０００５】
ところで、記録機器が、記録媒体との間で情報を伝送しながら、同時にその記録媒体との間で異なる情報を伝送するような場合がある。例えば、映像データの編集作業時において、記録機器が録画データなどのコンテンツの主となるデータを記録媒体から読み出している間に、同時にその記録媒体の記録内容を確認するために、並行してその録画データや他の録画データのサムネイルなどのコンテンツに関するデータを記録媒体から読み出して表示装置に表示させる場合である。
【０００６】
このような場合にも、上記のように映像データ伝送の分野などの、短時間でデータを伝送したいという要求から、コンテンツに関する情報の表示処理中に、コンテンツの主となるデータを読み出す伝送速度が低下することは好ましくない。
【０００７】
これに対して、コンテンツの主となるデータと、コンテンツに関するデータを同時に伝送可能にするには、まず、両方のデータを１つのデジタルインタフェースを通じて処理を行う構成が考えられる。すなわち、記録媒体と記録装置との間では、コンテンツの主となるデータと、コンテンツに関するデータの両方が共通のデジタルインタフェースを通じて伝送される。そして、記録媒体内では、共通のデジタルインタフェースを通じて伝送された両方のデータがメモリに格納され、またはメモリから読み出されるものである。
【０００８】
しかしながら、上記のようなデータの高速伝送が可能である記録媒体に対して上記の構成を単純に適用した場合には、２つのデータの伝送時に生じる振り分け処理によって大きなオーバーヘッドが発生してしまう場合がある。このような場合には、記録装置と記録媒体との間のデータの伝送速度が低減してしまうことになる。
【０００９】
本発明はこのような点に鑑みてなされたものであり、複数のデータの伝送を同時に行ってもデータ伝送速度が低下しない記録媒体を提供することを目的とする。
【課題を解決するための手段】
【００１０】
本発明では上記課題を解決するために、電子機器に着脱可能な可搬型の記録媒体において、前記電子機器と電気的に接続して通信可能な情報記憶領域を有する第１の記憶部と、前記電子機器と電気的に接続して通信可能であるとともに、前記電子機器と非接触で接続して通信可能な情報記憶領域を有する第２の記憶部と、を有することを特徴とする記録媒体が提供される。
【００１１】
このような記録媒体では、情報記憶領域を有する第１の記憶部は、電子機器と電気的に接続されて通信可能である。また、情報記憶領域を有する第２の記憶部は、電子機器と電気的に接続されて通信可能であり、さらに、電子機器と非接触で接続されて通信可能である。
【発明の効果】
【００１２】
本発明によれば、電子機器と第１の記憶部との間で電気的な接続による通信を行いながら、電子機器と第２の記憶部との間で非接触接続による通信を行うことができる。従って、電子機器と第１の記憶部との間の通信および電子機器と第２の記憶部との間の通信を並行して行っても、各通信がそれぞれ個別に行われるので、通信同士の競合を防止できる。その結果、電子機器と記録媒体との間のデータ伝送の伝送速度の低下を防止できる。
【発明を実施するための最良の形態】
【００１３】
以下、本発明の実施の形態を図面を参照して詳細に説明する。まず、実施の形態に係る記録媒体の概要について説明し、その後、実施の形態の具体的な内容を説明する。
図１は、実施の形態に係る記録媒体の概要を示すブロック図である。
【００１４】
図１に示すように、記録媒体１は、可搬型の記録媒体であり、記録媒体側接続部１０、第１の記憶部１１、第２の記憶部１２、および非接触通信部１３を備えている。
記録媒体側接続部１０は、電子機器２に電気的に接続可能であり、電子機器２に接続されると、この電子機器２との間のデータの送受信を行う。記録媒体側接続部１０は、単一のコネクタによって形成されるとともに、第１の電気的接続部１０ａおよび第２の電気的接続部１０ｂの２つの端子を備えている。第１の電気的接続部１０ａは、電子機器２の電子機器側接続部２０が備える第１の電気的接続部２０ａと電気的に接続して信号を送受信する。同様に、第２の電気的接続部１０ｂは、電子機器２の電子機器側接続部２０が備える第２の電気的接続部２０ｂと電気的に接続して信号を送受信する。
【００１５】
電子機器２と第１の記憶部１１とが第１の電気的接続部１０ａを通じて、および電子機器２と第２の記憶部１２とが第２の電気的接続部１０ｂを通じて、コネクタの内部でそれぞれ接続され、個別に信号が送受信される。
【００１６】
第１の記憶部１１は、不揮発性の半導体メモリによって構成されており、記録媒体側接続部１０が備える第１の電気的接続部１０ａによって電子機器２と電気的に接続して通信可能な情報記憶領域を有する。第１の記憶部１１には、例えば、電子機器２から送信されたコンテンツのデータ（動画データなど）が記録される。
【００１７】
第２の記憶部１２は、不揮発性の半導体メモリによって構成されている。この第２の記憶部１２は、記録媒体側接続部１０が備える第２の電気的接続部１０ｂによって電子機器２と電気的に接続して通信可能であるとともに、非接触通信部１３によって電子機器２と非接触で接続して通信可能な情報記憶領域を有する。第２の記憶部１２には、例えば、第１の記憶部１１に記録されるコンテンツに関するデータ（動画データのファイル名、記録日時、ファイルサイズ、サムネイルなど）や第１の記憶部１１の残容量などが記録される。
【００１８】
第２の記憶部１２は、記録媒体側接続部１０を通じて電子機器２と第１の記憶部１１とが接続されていない場合にも、電子機器２の外部の予め定められた位置（すなわち、電子機器２側の図示しないリーダ／ライタの搭載位置）に接近させることにより、非接触通信部１３を通じて接続されて通信可能である。
【００１９】
さらに、第２の記憶部１２は、記録媒体側接続部１０を通じて電子機器２と第１の記憶部１１とが通信している場合、および記録媒体側接続部１０を通じて電子機器２と第２の記憶部１２とが電気的に接続されて通信可能な場合のいずれの場合にも、電子機器２と非接触通信部１３を通じて非接触で通信可能であってもよい。
【００２０】
非接触通信部１３は、無線通信により、電子機器２に設けられた非接触通信部２３との間で、非接触で通信するためのＲＦ（Radio Frequency）回路である。非接触通信部１３は、電子機器２の非接触通信部２３との間で送受信する信号の変復調回路、制御回路、１ターンのループ状アンテナなどから構成される。ここでは一例として、非接触通信部１３は、電子機器２との間で電磁波を使用して通信するとともに、バッテリを持たず、電子機器２側から供給される電磁波から電磁誘導によって動作電力を得るものとする。なお、アンテナとしては、ループ状以外に例えばスパイラル状アンテナを用いてもよい。
【００２１】
次に、電子機器２について説明する。ここでは、電子機器２が撮像装置（カメラ一体型の画像記録再生装置）である場合を例に挙げて説明する。電子機器２は、電子機器側接続部２０、中央処理制御部２１、内部記憶部２２、非接触通信部２３、撮影部２４、および操作・表示入出力部２５を備えている。
【００２２】
この電子機器２は、電子機器側接続部２０および記録媒体側接続部１０を通じた記録媒体１の第１の記憶部１１に対するデータの読み書き機能に加えて、非接触通信部２３および非接触通信部１３を通じた記録媒体１の第２の記憶部１２に対するデータの読み書き機能も備えている。
【００２３】
電子機器側接続部２０は、単一のコネクタによって形成されるとともに、第１の電気的接続部２０ａおよび第２の電気的接続部２０ｂの２つの端子を備えている。電子機器２は、電子機器側接続部２０に記録媒体１が接続されると、この記録媒体１に対するデータの読み書きを行う。第１の電気的接続部２０ａは、可搬型の記録媒体１の記録媒体側接続部１０が備える第１の電気的接続部１０ａと電気的に接続して通信可能である。同様に、第２の電気的接続部２０ｂは、記録媒体１の記録媒体側接続部１０が備える第２の電気的接続部１０ｂと電気的に接続して通信可能である。
【００２４】
中央処理制御部２１は、この電子機器２全体を統括的に制御する制御部である。この中央処理制御部２１には、図示しないＣＰＵ（Central Processing Unit）が設けられているとともに、内部記憶部２２と接続されている。中央処理制御部２１は、内部記憶部２２から読み出したプログラムを実行することで、電子機器２の各部に対する制御処理を行う。
【００２５】
内部記憶部２２は、いずれも図示しないＲＯＭ（Read Only Memory）、ＲＡＭ（Random Access Memory）などのメモリを備えている。内部記憶部２２のＲＯＭおよびＲＡＭには、中央処理制御部２１による電子機器２の制御に必要なプログラムやデータなどが格納される。
【００２６】
非接触通信部２３は、記録媒体１に設けられた非接触通信部１３との間で、非接触で通信するためのＲＦ回路である。非接触通信部２３は、送信データを変調する変調回路、受信データを復調する復調回路、および１ターンのループ状のアンテナなどを備えている。なお、アンテナとしては、ループ状以外に例えばスパイラル状アンテナを用いてもよい。また、非接触通信部２３は、ＩｒＤＡ（登録商標）などの赤外線通信、またはＢｌｕｅｔｏｏｔｈ（登録商標）などの他の方式の無線通信などにより、記録媒体１と非接触通信を行ってもよい。
【００２７】
撮影部２４は、図示しない撮像レンズを構成する光学レンズや、シャッタ、アイリスなどを含む光学ブロック、撮像素子、および撮像素子からの出力信号をデジタル変換するＡ／Ｄ変換回路などを備えている。また、撮影部２４は、Ａ／Ｄ変換回路で変換された画像信号に対して、各種の画質補正処理などを施した後、撮影中の画像を図示しない液晶モニタに表示させる。また、撮影部２４は、図示しない入力部への入力操作などに応じて撮像画像の記録が要求されると、画質補正処理などを施した画像信号に対して記録用のエンコード処理を施した後、処理後の画像信号を、電子機器側接続部２０を通じて記録媒体１に送信して、記録媒体１が備える第１の記憶部１１に記録させる。さらに、撮影部２４は、記録媒体１から電子機器側接続部２０を通じて読み出された画像信号をデコード処理し、処理後の画像信号に基づく再生画像を液晶モニタに表示させることもできる。
【００２８】
操作・表示入出力部２５は、撮影部２４から出力された撮像画像信号や再生画像信号を基に表示用の画像信号を生成し、液晶モニタに出力して画像を表示させる。また、中央処理制御部２１から出力される各種の画像（例えば、ユーザが電子機器２を操作するためのメニュー画像など）を合成表示させる機能も備えている。
【００２９】
次に、本発明の実施の形態の記録媒体について説明する。ここでは、撮像装置（カメラ一体型の画像記録再生装置）との間でデータの伝送を行う不揮発性の半導体メモリを用いたメモリカードに、本発明を適用した例を用いて説明する。
【００３０】
図２は、メモリカードの内部構成を示すブロック図である。
本実施の形態のメモリカード１００は、可搬型の記録媒体であり、カード側コネクタ１１０、非接触通信アンテナ部１２１、非接触型ＩＣチップ１３１、ＵＳＢ−シリアル通信変換回路１３２、フラッシュメモリ１４１、およびＰＣＩ  Ｅｘｐｒｅｓｓ  バス制御回路１４２を備えている。
【００３１】
メモリカード１００は、ＥｘｐｒｅｓｓＣａｒｄ（商標）規格に準拠して構成されている。ＥｘｐｒｅｓｓＣａｒｄは、ＵＳＢ２．０およびＰＣＩ  Ｅｘｐｒｅｓｓ（商標）を含んで構成された規格であり、接続インタフェースとしてＰＣＩ  ＥｘｐｒｅｓｓとＵＳＢ２．０を共に具備する。
【００３２】
カード側コネクタ１１０は、撮像装置２００に電気的に接続可能であり、撮像装置２００に接続されると、この撮像装置２００との間のデータの送受信を行う。カード側コネクタ１１０は、単一のコネクタによって形成されるとともに、ＰＣＩ  Ｅｘｐｒｅｓｓ  インタフェース１１１、ＵＳＢインタフェース１１２および電源・制御接続部１１３の３種類の端子を備えている。
【００３３】
ＰＣＩ  Ｅｘｐｒｅｓｓ  インタフェース１１１は、撮像装置２００の撮像装置側コネクタ２１０が備えるＰＣＩ  Ｅｘｐｒｅｓｓ  インタフェース２１１と電気的に接続して通信可能である。同様に、ＵＳＢインタフェース１１２は、撮像装置２００の撮像装置側コネクタ２１０が備えるＵＳＢインタフェース２１２と電気的に接続して通信可能である。電源・制御接続部１１３は、撮像装置２００の撮像装置側コネクタ２１０が備える電源・制御接続部２１３と電気的に接続して電源の供給を受ける。
【００３４】
撮像装置２００とフラッシュメモリ１４１とがＰＣＩ  Ｅｘｐｒｅｓｓ  インタフェース１１１を通じて、および撮像装置２００と非接触型ＩＣチップ１３１とがＵＳＢインタフェース１１２を通じて、コネクタの内部でそれぞれのインタフェースによって接続され、個別に信号が送受信される。また、メモリカード１００は、電源・制御接続部１１３を通じて撮像装置２００から電源の供給および供給される電源の制御を受けて動作する。
【００３５】
フラッシュメモリ１４１は、不揮発性の半導体メモリであり、カード側コネクタ１１０が備えるＰＣＩ  Ｅｘｐｒｅｓｓ  インタフェース１１１によって撮像装置２００と電気的に接続して通信可能である。フラッシュメモリ１４１には、例えば、撮像装置２００によって撮影された動画データなどが記録される。また、フラッシュメモリ１４１とＰＣＩ  Ｅｘｐｒｅｓｓ  インタフェース１１１との間は、バスによって接続されている。そして、フラッシュメモリ１４１とＰＣＩ  Ｅｘｐｒｅｓｓ  インタフェース１１１との間に設けられたＰＣＩ  Ｅｘｐｒｅｓｓ  バス制御回路１４２によって、フラッシュメモリ１４１とＰＣＩ  Ｅｘｐｒｅｓｓ  インタフェース１１１との間のバスを通じた通信が制御される。
【００３６】
非接触型ＩＣチップ１３１は、ＥＥＰＲＯＭ（Electrically Erasable Programmable ROM）１３１ａ、非接触通信回路１３１ｂ、および接触通信回路１３１ｃを備える。
非接触型ＩＣチップ１３１は、カード側コネクタ１１０を通じて撮像装置２００とフラッシュメモリ１４１とが接続されていない場合にも、撮像装置２００の外部の予め定められた位置（非接触通信部２２１の搭載位置）に接近させることにより、非接触通信アンテナ部１２１を通じて非接触で通信可能である。
【００３７】
非接触型ＩＣチップ１３１は、カード側コネクタ１１０を通じて撮像装置２００とフラッシュメモリ１４１とが通信している場合、およびカード側コネクタ１１０を通じて撮像装置２００と非接触型ＩＣチップ１３１とが通信可能な場合のいずれの場合にも、撮像装置２００と非接触通信アンテナ部１２１を通じて非接触で通信可能である。
【００３８】
この非接触型ＩＣチップ１３１が備えるＥＥＰＲＯＭ１３１ａは、カード側コネクタ１１０が備えるＵＳＢインタフェース１１２によって撮像装置２００と電気的に接続して通信可能であるとともに、非接触通信アンテナ部１２１によって撮像装置２００と非接触で接続して通信可能である。
【００３９】
非接触型ＩＣチップ１３１とＵＳＢインタフェース１１２との間には、ＵＳＢ−シリアル通信変換回路１３２が設けられている。そして、このＵＳＢ−シリアル通信変換回路１３２により信号形式が変換されて、非接触型ＩＣチップ１３１とＵＳＢインタフェース１１２との間で通信が行われる。
【００４０】
ＥＥＰＲＯＭ１３１ａは、電気的に書き換え可能な不揮発性の半導体メモリである。ＥＥＰＲＯＭ１３１ａには、例えば、撮像装置２００によって撮影されフラッシュメモリ１４１に記録される動画データに関するデータ（動画データのファイル名、記録日時、ファイルサイズ、サムネイルなど）やフラッシュメモリ１４１の残容量などが記録される。
【００４１】
非接触型ＩＣチップ１３１において、ＥＥＰＲＯＭ１３１ａの非接触通信アンテナ部１２１側には、非接触通信回路１３１ｂが設けられている。この非接触通信回路１３１ｂは、非接触通信アンテナ部１２１を通じた無線通信により、撮像装置２００に設けられた非接触通信部２２１との間で、非接触で通信するためのＲＦ回路であり、ＥＥＰＲＯＭ１３１ａと撮像装置２００との間で送受信する信号の変復調回路、制御回路などから構成される。非接触通信回路１３１ｂは、撮像装置２００との間で電磁波を使用して通信する。そして、ここでは一例として、非接触型ＩＣチップ１３１はバッテリを持たず、撮像装置２００側から供給される電磁波から電磁誘導によって動作電力を得るものとする。
【００４２】
非接触通信アンテナ部１２１は、撮像装置２００の非接触通信部２２１との間の無線通信に用いられるアンテナであり、１ターンのループ状アンテナなどから構成される。なお、アンテナとしては、ループ状以外に例えばスパイラル状アンテナを用いてもよい。
【００４３】
ＥＥＰＲＯＭ１３１ａのＵＳＢインタフェース１１２側には、接触通信回路１３１ｃが設けられている。この接触通信回路１３１ｃは、ＥＥＰＲＯＭ１３１ａと撮像装置２００との間で行われる、カード側コネクタ１１０を通じた接触通信の制御を行う。
【００４４】
次に、撮像装置２００について説明する。撮像装置２００は、撮像装置側コネクタ２１０、非接触通信部２２１、システムチップセット２３２、およびＣＰＵ２３１を備えている。
【００４５】
この撮像装置２００は、撮像装置側コネクタ２１０およびカード側コネクタ１１０を通じたメモリカード１００のフラッシュメモリ１４１に対するデータの読み書き機能に加えて、撮像装置２００側の非接触通信部２２１、およびメモリカード１００側の非接触通信アンテナ部１２１を通じたメモリカード１００の非接触型ＩＣチップ１３１に対するデータの読み書き機能も備えている。
【００４６】
撮像装置側コネクタ２１０は、単一のコネクタによって形成されるとともに、ＰＣＩ  Ｅｘｐｒｅｓｓ  インタフェース２１１、ＵＳＢインタフェース２１２および電源・制御接続部２１３の３種類の端子を備えている。撮像装置２００は、撮像装置側コネクタ２１０にメモリカード１００が接続されると、このメモリカード１００に対するデータの読み書きを行う。撮像装置側コネクタ２１０は、撮像装置２００が備える図示しないカードスロットの内部に設けられている。
【００４７】
ＰＣＩ  Ｅｘｐｒｅｓｓ  インタフェース２１１は、可搬型のメモリカード１００のカード側コネクタ１１０が備えるＰＣＩ  Ｅｘｐｒｅｓｓ  インタフェース１１１と電気的に接続して通信可能である。同様に、ＵＳＢインタフェース２１２は、メモリカード１００のカード側コネクタ１１０が備えるＵＳＢインタフェース１１２と電気的に接続して通信可能である。電源・制御接続部２１３は、メモリカード１００のカード側コネクタ１１０が備える電源・制御接続部１１３と電気的に接続して電源を供給するとともに、システムチップセット２３２からの指令に基づいて電源の供給の制御が行われる。
【００４８】
ＣＰＵ２３１は、この撮像装置２００全体を統括的に制御する制御部である。このＣＰＵ２３１は、システムチップセット２３２と接続されている。ＣＰＵ２３１は、システムチップセット２３２が備える図示しないメモリ部から読み出したプログラムを実行することで、撮像装置２００の各部に対する制御処理を行う。
【００４９】
システムチップセット２３２は、図示しないメモリ部を備えている。メモリ部は、いずれも図示しないＲＯＭ、ＲＡＭなどから構成されている。メモリ部のＲＯＭおよびＲＡＭには、ＣＰＵ２３１による撮像装置２００の制御に必要なプログラムやデータなどが格納される。
【００５０】
システムチップセット２３２は、非接触通信部２２１と接続されており、ＣＰＵ２３１の指令に基づいて、メモリカード１００との非接触通信を行う。また、システムチップセット２３２は、メモリカード１００側と同様に、撮像装置側コネクタ２１０と、ＰＣＩ  ＥｘｐｒｅｓｓおよびＵＳＢ  ２．０の２系統によって接続されており、ＣＰＵ２３１の指令に基づいて、メモリカード１００との通信を行う。
【００５１】
非接触通信部２２１は、メモリカード１００に設けられた非接触通信アンテナ部１２１との間で、非接触で通信するためのＲＦ回路である。非接触通信部２２１は、送信データを変調する変調回路、受信データを復調する復調回路、および１ターンのループ状のアンテナなどを備えている。なお、アンテナとしては、ループ状以外に例えばスパイラル状アンテナを用いてもよい。
【００５２】
また、撮像装置２００は、いずれも図示しない撮影部、操作・表示入出力部（それぞれ、図１の撮影部２４、操作・表示入出力部２５に対応）を備えている。撮影部は、撮像レンズを構成する光学レンズや、シャッタ、アイリスなどを含む光学ブロック、撮像素子、および撮像素子からの出力信号をデジタル変換するＡ／Ｄ変換回路などを備えている。
【００５３】
撮影部は、Ａ／Ｄ変換回路から出力される画像信号に対して、各種の画質補正処理などを施した後、撮影中の画像を液晶モニタに表示させる。また、撮影部は、入力部への入力操作などに応じて撮像画像の記録が要求されると、画質補正処理などを施した画像信号に対して記録用のエンコード処理を施した後、処理後の画像信号を、撮像装置側コネクタ２１０を通じてメモリカード１００に送信して、メモリカード１００が備えるフラッシュメモリ１４１に記録させる。
【００５４】
操作・表示入出力部は、メモリカード１００から撮像装置側コネクタ２１０を通じて読み出された画像信号をデコード処理し、処理後の画像信号に基づく再生画像を液晶モニタに表示させることもできる。さらに、操作・表示入出力部は、撮影部から出力された撮像画像信号や再生画像信号を基に表示用の画像信号を生成し、液晶モニタに出力して画像を表示させる。また、システムチップセット２３２から出力される各種の画像（例えば、ユーザが撮像装置２００を操作するためのメニュー画像など）を合成表示させる機能も備えている。
【００５５】
次に、本実施の形態のメモリカードの外観について説明する。
図３および図４は、メモリカードの外観を示す図である。図３は、ＥｘｐｒｅｓｓＣａｒｄ／３４（商標）に準拠したメモリカードの構成例、図４は、ＥｘｐｒｅｓｓＣａｒｄ／５４（商標）に準拠したメモリカードの構成例をそれぞれ示す。
【００５６】
図３には、ＥｘｐｒｅｓｓＣａｒｄ／３４に準拠して構成したメモリカード１００ａの上面図および側面図を示す。メモリカード１００ａの外観は、基板などの内部構造を収容するハウジング部１００ａ１、および電子機器と電気的に接続されるコネクタ部１１０ａから構成される。メモリカード１００ａの外形は、ＥｘｐｒｅｓｓＣａｒｄ／３４に従い、全長７５ｍｍ、厚さ５ｍｍであり、ハウジング部１００ａ１の幅が３４ｍｍである。
【００５７】
図４には、ＥｘｐｒｅｓｓＣａｒｄ／５４に準拠して構成したメモリカード１００ｂの上面図および側面図を示す。
メモリカード１００ｂの外観は、メモリカード１００ａと同様に、基板などの内部構造を収容するハウジング部１００ｂ１、および電子機器と電気的に接続されるコネクタ部１１０ｂから構成される。メモリカード１００ｂの外形は、ＥｘｐｒｅｓｓＣａｒｄ／５４に従い、メモリカード１００ａと同様に全長７５ｍｍ、厚さ５ｍｍであるが、ハウジング部１００ｂ１の幅が５４ｍｍと、メモリカード１００ａより幅広である。なお、メモリカード１００ｂのコネクタ部１１０ｂの構成は、メモリカード１００ａのコネクタ部１１０ａと同一である。
【００５８】
次に、本実施の形態のメモリカードのコネクタについて説明する。
図５は、メモリカード側のコネクタ部を示す図である。図５（Ａ）には、メモリカード１００ａが備えるコネクタ部１１０ａの上面図、図５（Ｂ）には、コネクタ部１１０ａの前面図、図５（Ｃ）には、コネクタ部１１０ａの下面図をそれぞれ示す。
【００５９】
コネクタ部１１０ａは、カード側コネクタ１１０を構成し、２６個のピン１１０ａ１を備えている。メモリカード１００ａが電子機器に装着されると、コネクタ部１１０ａのピン１１０ａ１のそれぞれが、後述する電子機器に設けられたコネクタ部２１０ａが備えるピン２１０ａ１と電気的に接続される。なお、メモリカード１００ｂのコネクタ部１１０ｂは、コネクタ部１１０ａと同一の構成であるため、説明を省略する。
【００６０】
図６は、撮像装置側のコネクタ部を示す図である。図６（Ａ）には、撮像装置２００が備えるコネクタ部２１０ａの上面図、図６（Ｂ）には、コネクタ部２１０ａの前面図、図６（Ｃ）には、コネクタ部２１０ａの下面図をそれぞれ示す。
【００６１】
コネクタ部２１０ａは、撮像装置側コネクタ２１０を構成し、メモリカード１００ａのコネクタ部１１０ａと同様に、２６個のピン２１０ａ１を備えている。メモリカード１００が撮像装置２００に装着されると、コネクタ部２１０ａのピン２１０ａ１のそれぞれが、メモリカード１００に設けられたコネクタ部が備えるピンと電気的に接続される。これにより、撮像装置２００とメモリカード１００との間で通信が可能になる。
【００６２】
次に、本実施の形態のコネクタを通じて送受信される信号について説明する。
図７は、コネクタのピン番号と信号の関係を示す図である。図８は、コネクタで送受信される信号の概要を示す図である。
【００６３】
図７に示すピン配列図７０は、メモリカード１００のカード側コネクタ１１０を構成するコネクタ部１１０ａが備えるピン１１０ａ１、および撮像装置２００の撮像装置側コネクタ２１０を構成するコネクタ部２１０ａが備えるピン２１０ａ１のピン番号、および各ピンによって送受信される信号を示す図である。
【００６４】
図７中の「ピン」は、各ピンに割り当てられたピン番号を示す。「信号名称」は、そのピンで送受信される信号の名称を示す。
図８に示す信号構成図８０は、メモリカード１００ａのコネクタ部１１０ａおよび撮像装置２００のコネクタ部２１０ａを通じて送受信される信号の概要を示す図である。
【００６５】
コネクタのピン番号１〜５は、ＵＳＢインタフェース１１２，２１２による接続に用いられる。ピン番号１０〜２６は、ＰＣＩ  Ｅｘｐｒｅｓｓインタフェース１１１，２１１による接続に用いられる。ピン番号８〜９は、通信制御に用いられる。なお、ピン番号５〜７は、予備用である。
【００６６】
ＵＳＢインタフェース１１２，２１２を通じた撮像装置２００と非接触型ＩＣチップ１３１との間のデータの送受信は、ＵＳＢＤ−（ピン番号２）およびＵＳＢＤ＋（ピン番号３）によって行われる。
【００６７】
ＰＣＩ  Ｅｘｐｒｅｓｓインタフェース１１１，２１１を通じた撮像装置２００とフラッシュメモリ１４１との間のデータの送受信は、ＰＥＲｎ０（ピン番号２１）、ＰＥＲｐ０（ピン番号２２）、ＰＥＴｎ０（ピン番号２４）、およびＰＥＴｐ０（ピン番号２５）によって行われる。
【００６８】
また、撮像装置２００からのメモリカード１００に対する電源の供給は、ピン番号１０，１２，１４，および１５によって行われる。なお、ピン番号１，２０，２３，２６は、グランド（ＧＮＤ）に用いられる。
【００６９】
次に、本実施の形態のメモリカードと接続して用いる撮像装置の動作について説明する。
図９および図１０は、撮像装置で実行されるデータ記録処理を説明するフローチャートである。
【００７０】
まず、ユーザにより撮像装置２００の電源が入れられると、撮像装置２００のＣＰＵ２３１は、メモリカード１００のフラッシュメモリ１４１が接続されていることを検出したか否かを判定する（ステップＳ１１）。ＣＰＵ２３１は、フラッシュメモリ１４１の接続を検出していない場合には、ユーザに対してメモリカードが接続されていないことを通知するメモリカード未接続メッセージを液晶モニタ（図示省略）に出力し（ステップＳ１２）、ステップＳ１１の処理を繰り返す一方、フラッシュメモリ１４１の接続を検出した場合には、ステップＳ１３の処理に進む。
【００７１】
次に、ＣＰＵ２３１は、撮像装置２００で撮像された画像情報や編集された画像情報に基づいて生成された動画データなどの、コンテンツのメインデータの生成処理を撮影部に実行させ（ステップＳ１３）、さらにステップＳ１３で生成されたデータに基づいて、上記の画像情報に基づいて生成された静止画データ（サムネイル画像）などのメタデータや、フラッシュメモリ１４１の残容量を示すデータなど、ステップＳ１３で生成されたデータに関する補助データを生成する（ステップＳ１４）。
【００７２】
次に、ＣＰＵ２３１は、ステップＳ１３で生成したメインデータの形式を、データ配列の整列などの処理を行ってメモリカード１００のフラッシュメモリ１４１に記録するためのデータ形式に変換し（ステップＳ１５）、ステップＳ１５で生成したフラッシュメモリ１４１に記録するための変換したメインデータをフラッシュメモリ１４１に記録し（ステップＳ１６）、その後、ステップＳ２１（図１０）の処理に進む。
【００７３】
次に、ＣＰＵ２３１は、メモリカード１００の非接触型ＩＣチップ１３１が接続されていることを検出したか否かを判定する（ステップＳ２１）。ＣＰＵ２３１は、非接触型ＩＣチップ１３１の接続を検出していない場合には、ステップＳ２４の処理に進む一方、フラッシュメモリ１４１の接続を検出した場合には、ステップＳ２２の処理に進む。
【００７４】
次に、ＣＰＵ２３１は、ステップＳ１４で生成した補助データの形式を、データ配列の整列などの処理を行ってメモリカード１００の非接触型ＩＣチップ１３１のＥＥＰＲＯＭ１３１ａに記録するための補助データの形式に変換し（ステップＳ２２）、ステップＳ２２で生成したＥＥＰＲＯＭ１３１ａに記録するための補助データを、非接触型ＩＣチップ１３１のＥＥＰＲＯＭ１３１ａに記録し（ステップＳ２３）、その後、ステップＳ２４の処理に進む。
【００７５】
次に、ＣＰＵ２３１は、すべての記録すべきデータのメモリカード１００への記録が完了したか否かを判定する（ステップＳ２４）。記録すべきすべてのデータの記録が完了している場合には、ステップＳ１３（図９）の処理に進む一方、記録すべきすべてのデータの記録が完了している場合には、データ記録処理を終了する。
【００７６】
ここで、記録すべきデータは、ユーザが指定したメインデータ、およびそのメインデータに関する補助データとする。記録すべきメインデータは、撮像装置２００に記録されているメインデータのうちから、図示しない入力部の操作などにより、ユーザの選択の入力を受け付けて指定される。
【００７７】
ここで、近年、広い分野で記録媒体との間の高速なデータ伝送の要求がある。特に映像データ伝送の分野において、撮影時間（記録時間）よりも短い時間でデータを読み出すことに対する要求が高まっている。このため、撮像装置が電気的に接続して記録媒体との間でコンテンツの主となるメインデータを伝送しながら、同時に非接触の接続により記録媒体との間でサムネイル画像などの補助データを伝送する場合においても、コンテンツに関する情報の表示処理中に、メインデータの記録媒体への伝送速度が低下することは好ましくない。
【００７８】
ところで、一般に、記録媒体に接続してデータを読み書きする電子機器が、記録媒体との間で情報を伝送しながら、同時にその記録媒体との間で異なる情報を伝送するような場合がある。
【００７９】
映像データ伝送の分野においては、例えば、映像データの編集作業時において、撮像装置が画像データなどのコンテンツの主となるメインデータをメモリカードから読み出している間に、同時に急いで撮影したメインデータの画像や音声の概要を再生・編集前に確認するために、並行してその画像データや他の画像データのサムネイルなどのメタデータなど、コンテンツに関する補助データをメモリカードから読み出して表示装置に表示させる場合である。また、撮像装置が撮影によって生成した画像データをメモリカードに記録している間に、画像データのメタデータなどの補助データを生成し、並行してメモリカードに記録する場合である。
【００８０】
このような場合には、まず、メインデータと補助データの両方を、１つのデジタルインタフェースで処理を行う構成が考えられる。電子機器と記録媒体との間で、一のデータおよび他のデータが１つのデジタルインタフェースを通じて記録媒体に格納され、または記録媒体から読み出されるものである。
【００８１】
しかしながら、上記のようなデータの高速伝送が可能である記録媒体に対して上記の構成を単純に適用した場合には、２種類のデータの１つのデジタルインタフェースに対する伝送データの振り分けが大きなオーバーヘッドとなってしまう場合がある。このような場合には、記録装置と記録媒体との間におけるデータの伝送速度が低減してしまうことになる。
【００８２】
また、次に、非接触型ＩＣチップを用いて、電子機器と記録媒体とを接続する電気的接続および非接触接続の両方を、記録媒体内部で最終的に１つのデジタルインタフェースにまとめてデータの処理を行う構成が考えられる。すなわち、非接触型ＩＣチップを搭載した記録媒体と電子機器との間で、電気的接続および非接触接続の２つの接続方法によりそれぞれデータが伝送される。そして、記録媒体内において、２つの接続方法のデータが１つのデジタルインタフェースを通じてメモリに格納され、またはメモリから読み出されるものである。
【００８３】
しかしながら、同様に、上記のようなデータの高速伝送が可能である記録媒体に対して上記の構成を単純に適用した場合においても、電気的接続および非接触接続の２つの接続方法と１つのデジタルインタフェースとの間における伝送データの振り分けが大きなオーバーヘッドとなってしまう場合がある。このような場合には、やはり、記録装置と記録媒体との間のデータの伝送速度が低減してしまうことになる。
【００８４】
これらに対して、本実施の形態では、メモリカード１００のコネクタの電気的接続が複数のグループに分けられる。そして、第１の電気的接続グループであるＰＣＩ  Ｅｘｐｒｅｓｓインタフェース１１１がメインデータを記憶するフラッシュメモリ１４１に接続され、第２の電気的接続グループであるＵＳＢインタフェース１１２が非接触型ＩＣチップ１３１（ＥＥＰＲＯＭ１３１ａ）に接続される。これにより、メインデータのデータ伝送速度を損なうことなく、同時に補助データをメモリカード１００に伝送することができる。
【００８５】
また、データを高速伝送する場合には、デジタル伝送の品質が重要視される。本実施の形態のメモリカード１００では、メインデータが記録されるフラッシュメモリ１４１への接続と、補助データが記録される非接触型ＩＣチップ１３１のＥＥＰＲＯＭ１３１ａへの接続を分離することで、メインデータが記録されるフラッシュメモリ１４１の周辺の回路の複雑化を防ぐことが可能になり、メインデータの高品質な伝送を保つことができる。
【００８６】
以上に示した本実施の形態のメモリカード１００によれば、撮像装置２００とフラッシュメモリ１４１との間で電気的な接続による通信を行いながら、撮像装置２００と非接触型ＩＣチップ１３１との間で非接触接続による通信を行うことができる。従って、撮像装置２００とフラッシュメモリ１４１との間の通信および撮像装置２００と非接触型ＩＣチップ１３１との間の通信を並行して行っても、各通信がそれぞれ個別に行われるので、各通信同士の競合を防止できる。その結果、撮像装置２００とメモリカード１００との間のデータ伝送の伝送速度の低下を防止できる。
【００８７】
また、特にメモリカードなどの着脱可能な記録媒体の場合、一般にデータ伝送が挿抜を繰り返すコネクタを介して行われる。ここで、本実施の形態のメモリカード１００では、撮像装置２００とメモリカード１００との間の高速デジタル伝送において、コネクタを介さない非接触によるデータ伝送が可能であるので、挿抜の頻度を減少させることができる。この結果、挿抜を繰り返すことによって生じるコネクタの劣化による伝送品質の低下を防止できる。
【００８８】
また、メモリカード１００に非接触型ＩＣチップ１３１を備えることで、非接触型ＩＣチップ１３１のＥＥＰＲＯＭ１３１ａに、音声やメタデータなどの一部を記録することができる。この結果、撮像装置２００のカードスロットにメモリカードを挿入してカード側コネクタ１１０と撮像装置側コネクタ２１０とを接続することなく、非接触型ＩＣチップ用のリーダ／ライタにかざすだけで内容を知ることができる。さらに、カードスロットに別のメモリカードが挿入されている場合でも、サムネイル画像などのメタデータやメモリカードの残容量を確認できる。
【００８９】
例えば、第１のメモリカードに撮影記録された映像データについて編集作業を行った後、編集したデータを第２のメモリカードに記録して保存する場合、第２のメモリカードに空き容量があるかどうかを確認する必要がある。
【００９０】
ここで、従来は、第１のメモリカードをカードスロットから抜いた後に、第２のメモリカードを挿入することで初めて、第２のメモリカードの残容量を知ることができる。これに対して、本実施の形態のメモリカード１００では、第１のメモリカードをカードスロットに入れたまま、第２のメモリカードの残容量を知ることができる。この結果、多数のメモリカードの内容を一度に確認する場合にカードを挿抜する手間がかからないとともに、コネクタの磨耗を防止できる。
【００９１】
また、メモリカード１００を接続するコネクタ部１１０ａ，２１０ａに、フラッシュメモリ１４１と非接触型ＩＣチップ１３１の両方に対して同時に接続する機能が備えられていることで、メインデータのみ記録が行われた場合など、記録されているメインデータとメタデータとの間の内容の不一致を防止できる。
【００９２】
なお、本実施の形態では、撮像装置に接続するメモリカードを例示して説明したが、これに限らず、電子機器との間でデータの伝送が可能な、いかなる記憶媒体に対しても適用可能である。
【図面の簡単な説明】
【００９３】
【図１】実施の形態に係る記録媒体の概要を示すブロック図である。
【図２】メモリカードの内部構成を示すブロック図である。
【図３】メモリカードの外観を示す図（その１）である。
【図４】メモリカードの外観を示す図（その２）である。
【図５】メモリカード側のコネクタ部を示す図である。
【図６】撮像装置側のコネクタ部を示す図である。
【図７】コネクタのピン番号と信号の関係を示す図である。
【図８】コネクタで送受信される信号の概要を示す図である。
【図９】撮像装置で実行されるデータ記録処理を説明するフローチャート（前半）である。
【図１０】撮像装置で実行されるデータ記録処理を説明するフローチャート（後半）である。
【符号の説明】
【００９４】
１……記録媒体、２……電子機器、１０……記録媒体側接続部、１０ａ，２０ａ……第１の電気的接続部、１０ｂ，２０ｂ……第２の電気的接続部、１１……第１の記憶部、１２……第２の記憶部、１３，２３，２２１……非接触通信部、２０……電子機器側接続部、２１……中央処理制御部、２２……内部記憶部、２４……撮影部、２５……操作・表示入出力部、７０……ピン配列図、８０……信号構成図、１００，１００ａ，１００ｂ……メモリカード、１００ａ１，１００ｂ１……ハウジング部、１１０……カード側コネクタ、１１０ａ，１１０ｂ，２１０ａ……コネクタ部、１１０ａ１，２１０ａ１……ピン、１１１，２１１……ＰＣＩ  Ｅｘｐｒｅｓｓインタフェース、１１２，２１２……ＵＳＢインタフェース、１１３，２１３……電源・制御接続部、１２１……非接触通信アンテナ部、１３１……非接触型ＩＣチップ、１３１ａ……ＥＥＰＲＯＭ、１３１ｂ……非接触通信回路、１３１ｃ……接触通信回路、１３２……ＵＳＢ−シリアル通信変換回路、１４１……フラッシュメモリ、１４２……ＰＣＩ  Ｅｘｐｒｅｓｓ  バス制御回路、２００……撮像装置、２１０……撮像装置側コネクタ、２３１……ＣＰＵ、２３２……システムチップセット
【図１】
2009086844.tif 000003
【図２】
2009086844.tif 000004
【図３】
2009086844.tif 000005
【図４】
2009086844.tif 000006
【図５】
2009086844.tif 000007
【図６】
2009086844.tif 000008
【図７】
2009086844.tif 000009
【図８】
2009086844.tif 000010
【図９】
2009086844.tif 000011
【図１０】
2009086844.tif 000012